(57)【特許請求の範囲】
【請求項１】
内容物を排出する口部を有し、この口部につながる肩部を経て胴部、底部を一体的に形成した円形断面をなす合成樹脂製ブローボトルであって、
前記胴部に、口部側から底部側へ向けて伸延する二本の縦溝の相互間に形成されるものであって、該胴部の周りに間隔をおいて配置され容器の口部側から底部側へ向けて伸延し凸状となる複数本の縦リブを設け、
該縦リブの相互間に、縦リブに沿い間隔をおいて配置された凹状となる複数の横リブを形成してなる、ことを特徴とする合成樹脂製ブローボトル。
【請求項２】
前記胴部は、環状溝部によって区分された上部に、該胴部と一体になる把手又は該胴部とは別体に取り付けられた把手を有する、請求項１記載の合成樹脂製ブローボトル。
【請求項３】
前記縦リブの外表面は胴部の最外径を形成する、請求項１又は２記載の合成樹脂製ブローボトル。
【請求項４】
前記縦溝の開放角は３０°以上である、請求項１〜３の何れかに記載の合成樹脂製ブローボトル。
【発明の詳細な説明】
【技術分野】
【０００１】
本発明は、合成樹脂製ブローボトルに関し、とくに該ブローボトルの座屈強度の改善を図ろうとするものである。
【背景技術】
【０００２】
ペットボトルなどの合成樹脂製の容器は、効率的な生産が可能であるうえ、ガラス製の壜と較べ取り扱いも比較的容易であることから、薬剤、化粧料、酒、飲料あるいは調味料等を入れる容器として多用されており、そのサイズ、形状も多岐にわたっている。
【０００３】
また、最近に至っては資源の有効活用を図る観点から使用材料を所望の強度を確保したうえでいかに削減するかが技術的な課題となっているところ、使用材料を削減すると座屈強度が低下する傾向が認められており、その改善が求められていた。
【０００４】
この点に関する先行技術としては、ボトル本体の周面に設けた複数の環状溝につき、その深さを、把持部の中心部と、把持部の反対側の中心部とに向かうのに従い、徐々に浅くした構造のハンドルボトルが提案されている（例えば、特許文献１参照）。
【特許文献１】特開２００２−２９５２１号公報
【０００５】
ところで、上記の従来ボトルは把持部を備えた大型のボトルを対象としたものであり、異なるタイプ（把手のないものやサイズが異なるもの）のボトルについては何らの考慮も払われていないのが現状であった。
【発明の開示】
【発明が解決しようとする課題】
【０００６】
本発明の課題は、把持部の有無やサイズにかかわりなしに座屈強度の改善を図ることができる新規な合成樹脂製ブローボトルを提案するところにある。
【課題を解決するための手段】
【０００７】
本発明は、内容物を排出する口部を有し、この口部につながる肩部を経て胴部、底部を一体的に形成した円形断面をなす合成樹脂製ブローボトルであって、
前記胴部に、口部側から底部側へ向けて伸延する二本の縦溝の相互間に形成されるものであって、該胴部の周りに間隔をおいて配置され容器の口部側から底部側へ向けて伸延し凸状となる複数本の縦リブを設け、
該縦リブの相互間に、縦リブに沿い間隔をおいて配置された凹状となる複数の横リブを形成してなる、ことを特徴とする合成樹脂製ブローボトルである。
【０００８】
上記の構成になる合成樹脂製ブローボトルにおいて胴部は、環状溝部によって区分された上部に、該胴部と一体になる把手又は該胴部とは別体に取り付けられた把手を設けることができる。
【０００９】
また、前記縦リブの外表面は胴部の最外径を形成することが望ましい。また、前記縦溝の開放角は３０°以上であることが望ましい。
【発明の効果】
【００１０】
ボトルの口部側から底部側へ向かう縦リブを、胴部の周囲に複数本設けることによりボトルの座屈強度は格段に改善される。
【００１１】
縦リブの相互間に横リブを設けることによりボトルの径方向における強度も確保される。
【００１２】
把手付きのボトルにあっては、胴部にウエストを形成する環状溝部を設け、その上部に把手を設け、下部については座屈強度の改善に寄与する縦リブを設ける。
【発明を実施するための最良の形態】
【００１３】
以下、図面を用いて本発明をより具体的に説明する。
図１（ａ）（ｂ）は本発明にしたがう合成樹脂製ブローボトルの実施の形態を把手付きのブローボトルを例として示した図である。
【００１４】
図における１は内容物を排出する口部、２は口部１につながる肩部、３は肩部２につながる胴部、さらに４は胴部３につながる底部である。
【００１５】
また、５は胴部３に設けられ、該胴部３を上下に二分する環状溝部、６は胴部３の上部に設けられた把手、７は胴部３の上部で把手６の前方側に設けられた減圧吸収壁である。
【００１６】
８ａ、８ｂは胴部３の下部に設けられ、相互に間隔をおいて配設した縦溝である。この縦溝８ａ、８ｂは、口部１側から底部４側へ向けて伸延しており二本で一組になっている。縦溝８ａ、８ｂは胴部３の周りに複数組み設けられており縦溝８ａ、８ｂの相互間にはブローボトルの座屈強度を改善するための縦リブ９が形成される（縦リブ９は縦溝８ａ、８ｂの溝底を基準にすると凸状のリブとなる）。
【００１７】
また、１０は縦リブ９の相互間に形成された横リブである。この横リブ１０は口部１側から底部４側に向け間隔をおいて複数設けられていて、縦溝８ａ、８ｂと同程度の深さを有し（横リブ１０は縦リブ９の表面を基準にすると凹状のリブとなる）、ブローボトルの径方向における強度を確保するための機能を有している。
【００１８】
本発明にしたがうブローボトルは、縦リブ９の外表面及び横リブ１０の相互間に位置する部分の外表面がブローボトルの最大径を構成するものであり、縦リブ９が設けられていることによりボトルの軸芯に沿うような荷重が加えられても図２（ａ）（ｂ）に示すような従来型のブローボトルに比較し簡単に座屈することがない。
【００１９】
とくに縦溝８ａ、８ｂにより縦リブ９を設けた場合には、容器内が減圧された際の吸収能の低下が懸念されるが、縦リブ９の本数を３〜７本程度、幅寸法を隣合う縦リブ同士の間隔の５〜２５％程度とし、縦溝８ａ、８ｂの溝深さをボトルの最大径の１．５％以上、溝の開放角（縦リブ９の側壁と横リブ１０が形成される領域の側壁とのなす角度θをいうものとする。図１（ｂ）参照）を３０°以上とすることにより減圧時における吸収能が減圧吸収壁７とは別途に確保することが可能となる。なお、縦溝８ａ、８ｂの断面形状はＶ字形状のみならず、台形状、半円形状（湾曲形状）等適宜変更し得る。
【００２０】
上掲図１においては把手６を備えたブローボトルを例として示したが、本発明は把手６を有しないブローボトルであってもよくこの点について限定されない。また、縦リブ９は対象とするブローボトルに応じて胴部３の上部あるいは胴部３の上部から下部にわたり連続的に伸延するものを設けることもできる。
【００２１】
本発明にしたがうブローボトルは軸芯に沿う向き（縦方向）の変位量が減少するため胴部３にラベルを貼着する場合において皺の発生頻度を少なくできる利点がある。
【００２２】
ボトルを構成する合成樹脂としては、ポリエチレンテレフタレート樹脂が適用できるが、ポリエチレン樹脂、ポリプロピレン樹脂を含むオレフィン系樹脂も適用することができる。積層構造として中間層にバリア層を形成するにあたってはエチレンビニルアルコール共重合体（EVOH）、ナイロン樹脂を適用するのが好ましい。
【００２３】
実施例１
充填容量が１８００ｍｌになる上掲図１に示したブローボトルに幅１０ｍｍ、長さ１２７ｍｍになる縦リブ９を周方向に等間隔で６本設け、この縦リブ９の相互間に幅１５ｍｍ、深さ３．５ｍｍの横リブ１０を４本設けたボトルについて座屈強度、減圧時における吸収量の調査を行った。なお縦リブ９と横リブ１０とを区分する縦溝８ａ、８ｂは深さ３．０ｍｍ（横リブ１０に対応する個所の深さは３．５ｍｍ）、傾斜角３５°とした。
【００２４】
その結果、減圧吸収量は図２に示したような従来型のボトルに較べ約１．２倍に向上し、座屈強度（耐座屈荷重）については約２．４倍に向上することが確認された。
【産業上の利用可能性】
【００２５】
材料の使用量が少なくても座屈強度の高い合成樹脂製ブローボトルが提供できる。
【図面の簡単な説明】
【００２６】
【図１】（ａ）は本発明にしたがうブローボトルの側面を示した図であり、（ｂ）はＡ−Ａ断面を示した図である。
【図２】（ａ）は従来型のブローボトルの側面を示した図であり、（ｂ）はＢ−Ｂ断面を示した図である。
【符号の説明】
【００２７】
１  口部
２  肩部
３  胴部
４  底部
５  環状溝部
６  把手
７  減圧吸収壁
８ａ溝部
８ｂ溝部
９  縦リブ
１０横リブ
【図１】
0005384033.tif 000002
【図２】
0005384033.tif 000003